(57)【要約】      （修正有）【課題】従来の収納具は、使わない時に折り畳んでも底面又は側面の一方の大きさは変わらず、体積収縮率も２割程度なので、場所を取るし、持ち運ぶ時に不便であった。【解決手段】実質的に同一の長さの棒状体１を２本１組として４組そろえ、各組のそれぞれの２本を中途部連結ひも２で可動可能に連結し、前記棒状体１の１組の連結された部分を基準にして、他方側の一対の棒状体を端部連結チューブ３にて可動可能に連結し、同様に３組目、更に４組目と連結し、最後に４組目と１組目を同様に連結することで全体として環状に連結し、折畳み可能な箱状の立体内を作る。これに、袋等の面状部材９を袋取付けひも１１により取り付けて収納具とする。折り畳むと、棒状体８本が束ねられた様に収束し、数％の体積に縮少する。円柱状の折り畳み形状なので持ち運びにも便利。【選択図】図１６
2009279377.tif 000002
【特許請求の範囲】
【請求項１】
実質的に同一の長さの棒状体を複数組み合わせて設けられる立体的な構造物の骨組みであって、前記棒状体を２本１組とする棒状体セットが４組設けられ、各組のそれぞれの２本が中途部で可動可能に連結され、前記棒状体セットの連結された部分を基準にして一方側の一対の棒状体端部と、隣り合う前記棒状体セットの連結された部分を基準にして他方側の一対の棒状体端部とを、順次可動可能に連結した形態とすることで全体として環状に連結されて、折畳み可能に各連結する部分が可動可能に設けられていることを特徴とする収納具。
【請求項２】
実質的に同一の長さの棒状体を複数組み合わせて設けられる立体的な構造物の骨組みであって、前記棒状体を２本１組とする棒状体セットが４組設けられ、各組のそれぞれの２本が中途部で可動可能に連結され、前記棒状体セットの連結された部分を基準にして一方側の一対の棒状体端部と、隣り合う前記棒状体セットの連結された部分を基準にして他方側の一対の棒状体端部とを、順次可動可能に連結した形態とすることで全体として環状に連結されて、折畳み可能に各連結する部分が可動可能に設けられていることを特徴とするごみ箱。
【請求項３】
請求項１記載の収納具に、収納具の側面と底面の両方又は片方を覆う、面状部材を付けた収納具。
【発明の詳細な説明】
【技術分野】
【０００１】  本発明は、折り畳みのできる収納具に関する。
【背景技術】
【０００２】  従来の収納具である、折り畳み収納箱について以下図３４により説明する。図においてアオリ側面板２８と折れ曲がり側面板２９は、使用時は垂直に立っているが折り畳む時に内側に押し込むと、ちょうつがい３０の動きにより、そのままか、折れて水平方向に倒れ折り畳まれる。（以下これを「収納箱ａ」とする。非特許文献１参照。）【０００３】  従来の別の収納具である、ワンタッチバスケットについて以下図３５により説明する。図において、３１は側面布であり支持脚３２により保持されながら立体を形成している。折り畳む時、支持足３２を水平になる様に引き上げてから側面布３１を押しつぶすことで折り畳まれる。（以下これを「収納具ｂ」とする。）【０００４】  ごみ集積所における従来のごみ収納具として、直方体状の箱であり金属の棒状部材で骨組みを作り、網状部材で立体の面を形成している物があった。（以下これを「ごみ収納箱ｃ」とする。実用新案文献１参照。）不使用時には、側面を背面に折りたたみ、高さはそのままで、奥行きが薄くなる様に折り畳まれる。【０００５】
【非特許文献１】「無印良品  家具・家電ファブリック  ２００８春夏」、株式会社良品計画、２００８年、Ｐ．１４２
【実用新案文献】
実用新案登録第３０８８５０４号
【発明の表示】
【発明が解決しようとする課題】
【０００６】  従来の「収納箱ａ」や「収納具ｂ」の様な物は、折り畳んでも底面の大きさは全く変わらず、厚みも含めて重ばるという感じがあった。「収納箱ａ」については、体積の収縮も２２〜２８％位であった。（非特許文献１記載の「収納箱ａ」等で実測。）また、「ごみ収納箱ｃ」については、（１）折り畳んでも、高さと横巾は変わらず、（２）縮み方は、７２０ｌタイプで約２０％位までであり、（３）重さも約１０ｋｇと重い。その為、置いておくには重ばり、持ち運ぶには重いという不便さがあった。
【０００７】  本発明は、この様な従来の折り畳みの出来る収納具が有していた問題を解決しようとするものであり、折り畳んだ時の専有体積を極力小さくすると共に、持ち運びに便利な様にすることを目的とするものである。
【課題を解決するための手段】
【０００８】  本発明は上記目的を達成するために、実質的に同一の長さの棒状体を２本１組として４組そろえ、各組のそれぞれの２本を中途部で可動可能に連結し、前記棒状体の１組の連結された部分を基準にして一方側の一対の棒状体端部と、もう一組の棒状体の連結された部分を基準にして他方側の一対の棒状体端部を可動可能に連結し、同様に３組目とも可能可能に連結し、更に４組目とも同様に連結し、次に４組目と１組目を同様に連結することで全体として環状に連結し、折畳み可能に各連結する部分を可動可能に設けたものである。
【０００９】  また、第２の解決手段は、上記収納具に対し、側面と底面の両方又は片方をおおう、面状部材を付けたものである。
【００１０】  上記第１の課題解決手段による作用は次の通りである。棒状体によって組まれた直方体等の箱状の立体内において、収納物を収納できる。また、既に所有している袋等と共に使用して収納物を収納できる。使わない時は折り畳むことで、棒状体８本が束ねられた様に収束し、数％の体積になる。之の形状からも持ち運びに便利となる。
【００１１】  また第２の課題解決手段による作用は、布や網等の面状部材と共に折り畳んでも、ほとんど同様に収束し重ばることがない。
【発明の効果】
【００１２】  上述したように本発明の収納具は、折りたたむと体積比数％にまで縮小できる。折り畳んだ時、収束しほぼ円柱状になる為、持ち運びに便利である。布や網地の袋などと共に使用しても、そのまま折り畳んでほとんど同じに収縮する。ごく厚い布地等は、その分だけ重ばるに過ぎない。
【発明を実施するための最良の形態】
【００１３】  以下、本発明の実施の形態を図１〜図３３に基づいて説明する。【００１４】  図においては、１は棒状体、２は中途部連結ひも、３は端部連結チューブである。まず棒状体１を２本１組として、４組そろえる。棒状体１としては、表１に示す様な円柱状、角柱状などの部材が使用できる。用途に合わせ強度を確保できる部材を選ぶ。【００１５】  次に棒状体１各組の２本ずつを、中途部同志を可能可能に連結する。図１の形状にするには、棒状体１のちょうど中央部を連結する。連結方法の例としては、表１を参照。注意点としては、稼動するうちに緩んでしまわない様にする。これを４組作る。【００１６】  次に先に連結された棒状体１の組を開脚させ×の形になる様にした時、手前側の棒状体１をＡ、向こう側をＢと呼び、便宜上１組〜４組と順番を付けそれを図２の様に並べる。棒状体１の一方の端部をア、他方の端部をイと呼ぶ。そして、１組目の棒状体１セットのＡ側の一方の端部を（１Ａア）と表す。これにより棒状体１端部の連結の手順を示すと、（１Ａア）と（２Ａイ）、次に（１Ｂア）と（２Ｂイ）を可動可能に連結する。連結方法の側は、表１を参照。更に注意点として、連結面のねじれ角に注意する。端部連結部５の連結面は、図３（本発明の棒状体１の連結状態を表す平面図）において分かる様に、四角形の対角線上にある。【００１７】  続いて２組目と３組目を（２Ｂア）と（３Ｂイ）、（２Ａア）と（３Ａイ）と連結する。３組目と４組目を（３Ａア）と（４Ａイ）、（３Ｂア）と（４Ｂイ）と連結する。４組目と１組目を（４Ｂア）と（１Ｂイ）、（４Ａア）と（１Ａイ）と連結する。なお、４組目と１組目を手前に引き寄せて連結すると、Ａ側が立体の中心側でＢ側が外側になる。反対に１組目と４組目を向こうに押し回して連結すると、Ｂ側が立体の中心側でＡ側が外側になる。以上で、図１の形状にすることができるが、形状の調節については後述する。【００１８】  棒状体１の長さの微調整について説明する。立体の中心側になる棒状体１の４本を、次の式で表わされる分だけ短くすることによって、立体の歪みを少なくすることができる。ｗ×ｃｏｔＧ×２（ｗ＝棒状体１の太さ＋ｌ）（Ｇ＝棒状体１と底面のなす角度）
（ｌは、中途部連結部材などで２本の棒状体１の間に距離がある時その長さ）
なお、棒状体１の一方の端部のみの出っ張り分は、上の式の２分の１である。またこれは近似値を表す式である。例として、ｗ＝１０ｍｍ、Ｇ＝４５°で、約１４ｍｍである。【００１９】  次に、ストッパー６の設置のしかたについて説明する。図４において表す様に、立体の底面の正方形の対角線上をストッパー６ａであるひもで通し、端部連結チューブ３の所で固定している。また、図５に表す様に立体の上面の正方形の辺上を、ひも等で固定しストパー６ｂとする方法もある。なお、底面の正方形の辺上を固定しても良い。図１５参照。また、図６に表す様に隣り合う棒状体１の端部付近を固定してもよい。なお、ストッパー６は、２本〜４本そろわなくても１〜３本でも効果はある。ストッパー６は、構成された立体の形状を安定させる働きがある。なお、ストッパー６を設けなくても、中途部連結部４、端部連結部５の動作抵抗により、立体が安定している時がある。別のストッパー６として、中途部連結部４に凸状ストッパー６ｄを設ける方法もある。図１０参照。これは棒状体１が中途部連結部４で可動する範囲を、凸状の突起で制限してしまう構造である。【００２０】  次に本発明によって形成される立体の形状変化について説明する。棒状体１を中途部連結部４の所で狭く開けば、高さが高く横巾と奥行の狭い立体となり、広く開けば、高さの低い横巾と奥行の広い立体となる。図８、図９参照。本発明を折り畳む場合は、立体の正面に向かい、右と左の中途部連結部４をそれぞれ持ち、軽く持ち上げながら立体の中心部方向に押し縮める様にすると縮んでゆく。図１１参照。棒状体１が大きい時は、１組の棒状体１の中途部連結部４付近を持ち上げ、向かい合う棒状体１の組を支点にしてその方向へ押して縮める。最終的には、８本の棒状体１が束ねられた形に近くなり収束する。図１２参照。【００２１】  次に本発明の中途部連結部４の移動による形状の変化について説明する。棒状体１を中途部で連結する際、ちょうど中央部で連結すると図１の様な直方体状になる。中央部より上方で連結すると、下部が広く上部が狭い立体となる。図１３、図１４参照。図１３は正面図であるが、背面図は同一にあらわれる。また、右側面図と左側面図も、棒状体１の交差の前後が逆であるが、ほぼ同一にあらわれる。なお、図１３、図１４の形状になる為には、中途部連結部４の位置は、４組の棒状体１共に同一である。別の形状として、棒状体１の中央部で連結した組を立体の左と右に配し、棒状体１の中央部より上方で連結した組を前後に配し構成すると、図３２、図３３に表す形状になる。なお、向かい合う棒状体１の組は、中途部連結部４の位置は同じである。【００２２】  次に、本発明に面状部材９を付けた収納具について説明する。本発明の棒状体１に付け立体の内側又は外側に、面状部材９により直方体や立方体等立体の形状に沿う形の袋を組み合わせて収納具とする。図１６参照。面状部材９は、布、網地、不織布、合成樹脂シート、紙等がある。既に所有している袋を使用する為に、本発明の形状を変化させ対応するという方法もある。なお、袋取付けひも１１等で端部連結部５付近に取付けることで、袋のズレを防ぎ形状が安定する。図１６参照。折り畳む時は、先述の様に押し縮めると、��状部材９もそれに従い縮められ収束する。【００２３】  収納具としてその他に、本発明に板状の部材を付けて収納しても良い。本発明の立体の内側又は外側に、棒状体１に付けて板状の部材を付ける。折り畳む時は、はずす。【００２４】  次に、本発明をごみ収集場で使用されるごみ収集容器として使用する場合について述べる。図１７参照。図において全体はごみ収集容器であり、側面と底部及び上部は、網状部材１２である。使用方法は、上部フタ取手１４を持ち上げ、ごみを投入後再び元に戻すとごみ投入口１３が閉まる。これは、カラス等小動物の侵入を防ぐ様になっている。【００２５】  次に本発明の別の組み立て方について述べる。棒状体１を４本１組として２組そろえる。４本の棒状体１の端部を可動可能に連結し、正方形状の枠にする。これを２組作る。そして正方形状の枠を可動させ、ひし形にする。仮に頂点の角が約６０°と約１２０°のひし形にし、２組そろえる。更に、約６０°の角の所のみ、テープ等で仮固定しておくと、作業がしやすい。【００２６】  次に１組の枠を底面に置いた後、一方の約６０°の角の方を底面に固定し、他方の約６０°の角の方を持ち、約１２０°の角の所の端部連結部５を可動させ折れ曲がらせる。一たん垂直まで９０°位曲げ更に約１２０°ほどの所まで曲げ、ここでテープ等で仮止めしておく。正三角すい状の枠の立体になる。これをもう１組作る。【００２７】  次に、先の枠の約６０°の角の２つを持ち、初めの約１２０°の角の所を支点にし、バランスをとるがごとく支持し、正面から見てＶ字になる様に保持する。図１８は正面図である。側面から見ると図１９。これを上から見ると図２０である。なおこの図の表し方では、正面は、立体のカドの方である。次にこの保持した枠の内側に、もう１組の枠をこれと同じ形にしながら、水平方向に９０°回転させた形で重ね合わせる。これで、図１の形形になる。棒状体１のそれぞれは、中央部付近で接しているので、その４ケ所を可動可能に連結する。【００２８】  次に表１に基づいて棒状体１の連結方法の例を説明する。表の上段左側から順に下に、図参照とある項目について述べる。１、ひもしばりは図２１に表す様にひもでしばる。滑り止めとして、摩擦シート１７を使用したり、中途部連結ひもカバー１５で滑り止め兼保護を行うやり方である。３、曲げてから溶接で穴を形成後・・・は、図２２に表す様に棒状体１に穴が形成される様にしてある。５、省力バンドフック（１９）は、図２３に表す様にビニルハウスなどで使われる止め具である。これは、折り畳む時は外す。６、平ひも巻き止めは、図２４に表す様な平ひも連結部品２０を作り、これに棒状体１を通す。棒状体１に対しての固定は、接着剤や中途部連結ひもカバー１５等を使う。【００２９】  次に端部連結方法の例として、１、柔軟性のあるチューブをかぶせるは、図２５に表す様に棒状体１に端部連結チューブ３を挿入し連結する。２、可動ジョイントは、図２６に表す様な可動ジョイント２１を使い、ねじ止め部で可動させる。４、曲げて、かみ合わせは図２７で表わされる様に棒状体１の端部を曲げてかみ合わせる。かみ合わせ後は脱落防止に止めを施す。７、ひも又はワイヤー通しは、パイプである棒状体１の中空の部分にひ��等を通し棒状体を連結するやり方である。棒状体１は４本ずつ正方形状に、棒状体連結ひも２３でつながる。なお端部を端部カバーチューブ３等で保護すると良い。図２８、図２９参照。棒状体端部の保護で端部カバー打込足２５の様な中心部に穴の開いたびょうを打ち込む方法もある。図３０参照。８、差し込み具そう入後・・・は、図３１に表すように端部連結穴金具２７を棒状体１の端部に固定した後、ネジ等で連結を行うやり方である。【００３０】  次に本発明の実施例として、特に立体の形状を固く保ちたい場合の実施の方法を図１５により説明する。図にある様に、本発明にストッパー６を設けた後、張力ひも１６で、立体の上部の頂点４ケ所と下部の頂点４ケ所を引っ張りながらつないで固定する。実際には端部連結部５のあたりで固定される。ストッパー６はａからｄまで、どの形状でもよい。張力ひも１６は弾力がある素材を選ぶ。また張力ひも１６は、１〜３本でも効果はある。【００３１】
【表１】
2009279377.tif 000003
【図面の簡単な説明】
【００３２】
【図１】本発明の実施形態を示す収納具の斜視図
【図２】本発明の組み立て方の手順を示す図
【図３】本発明の棒状体１の連結状態を表す平面図
【図４】本発明のストッパー６ａの設け方を示す斜視図
【図５】本発明のストッパー６ｂの設け方を示す斜視図
【図６】本発明のストッパー６ｃの設け方を示す斜視図
【図７】本発明のストッパー６ａの設け方を示す平面図
【図８】本発明の形状を表す正面図
【図９】本発明の形状を表す正面図
【図１０】本発明の凸状ストッパー６ｄの設け方を示す平面図
【図１１】本発明の折り畳みの過程を表す斜視図
【図１２】本発明の折り畳まれた状態を表す斜視図
【図１３】本発明の中途部連結部４の移動による形状の変化を表す正面図
【図１４】本発明の中途部連結部４の移動による形状の変化を表す平面図
【図１５】本発明に張力ひも１６を付けた実施例を示す斜視図
【図１６】本発明に面状部材９を付けた実施例を示す斜視図
【図１７】本発明に網状部材１２を付けた実施例を示す斜視図
【図１８】本発明の別の組み立て過程の例を示す正面図
【図１９】本発明の別の組み立て過程の例を示す側面図
【図２０】本発明の別の組み立て過程の例を示す平面図
【図２１】本発明の中途部連結の方法を示す斜視図
【図２２】本発明の中途部連結の方法を示す平面図
【図２３】本発明の中途部連結の方法を示す斜視図
【図２４】本発明の中途部連結、端部連結の方法を示す斜視図
【図２５】本発明の端部連結の方法を示す斜視図
【図２６】本発明の端部連結の方法を示す斜視図
【図２７】本発明の端部連結の方法を示す平面図
【図２８】本発明の端部連結の方法を示す斜視図
【図２９】本発明の端部連結の方法を示す斜視図
【図３０】本発明の端部連結の方法を示す斜視図
【図３１】本発明の端部連結の方法を示す斜視図
【図３２】本発明の中途部連結部４の移動による形状の変化を表す側面図
【図３３】本発明の中途部連結部４の移動による形状の変化を表す正面図
【図３４】従来の収納箱を表す斜視図
【図３５】従来の収納具を表す斜視図
【符号の説明】
【００３３】１  棒状体
２  中途部連結ひも
３  端部連結チューブ
４  中途部連結部
５  端部連結部
９  面状部材
【図１】
2009279377.tif 000004
【図２】
2009279377.tif 000005
【図３】
2009279377.tif 000006
【図４】
2009279377.tif 000007
【図５】
2009279377.tif 000008
【図６】
2009279377.tif 000009
【図７】
2009279377.tif 000010
【図８】
2009279377.tif 000011
【図９】
2009279377.tif 000012
【図１０】
2009279377.tif 000013
【図１１】
2009279377.tif 000014
【図１２】
2009279377.tif 000015
【図１３】
2009279377.tif 000016
【図１４】
2009279377.tif 000017
【図１５】
2009279377.tif 000018
【図１６】
2009279377.tif 000019
【図１７】
2009279377.tif 000020
【図１８】
2009279377.tif 000021
【図１９】
2009279377.tif 000022
【図２０】
2009279377.tif 000023
【図２１】
2009279377.tif 000024
【図２２】
2009279377.tif 000025
【図２３】
2009279377.tif 000026
【図２４】
2009279377.tif 000027
【図２５】
2009279377.tif 000028
【図２６】
2009279377.tif 000029
【図２７】
2009279377.tif 000030
【図２８】
2009279377.tif 000031
【図２９】
2009279377.tif 000032
【図３０】
2009279377.tif 000033
【図３１】
2009279377.tif 000034
【図３２】
2009279377.tif 000035
【図３３】
2009279377.tif 000036
【図３４】
2009279377.tif 000037
【図３５】
2009279377.tif 000038